(57)【特許請求の範囲】
【請求項１】
青色波長帯の光を出射する青色光源と、
周縁部の少なくとも一部に反射面が形成された回転自在な本体と、直角二等辺三角形状の断面を持つように前記本体の周縁部に形成され、前記本体に接触するように形成された斜面と前記青色波長帯の光を前記反射面に透過させる第１の面と前記反射面で反射された前記青色波長帯の光を透過させて出射する第２の面とが形成された第１のセグメント及び前記青色波長帯の光を受けて緑色波長帯の光を出射する蛍光体が塗布された第３の面が形成された第２のセグメントを備えた円環状のプリズムと、を有するホイールと、
前記第１のセグメントから出射された青色波長帯の光と前記第２のセグメントから出射された緑色波長帯の光との各々を同一光路上に導く光学系と、
を具備し、
前記第１のセグメントは、回転によって前記第１のセグメントが前記青色光源の光軸上に位置したときに、前記第１の面としてのガラス面が前記青色光源の光軸と直交し、前記第２の面としての透過拡散面が前記本体に形成された反射面の反射光軸上に位置するように形成されており、
前記第２のセグメントは、回転によって前記第２のセグメントが前記青色光源の光軸上に位置したときに、前記第３の面としての蛍光体面が前記青色光源の光軸と直交するように形成されていることを特徴とする光源装置。
【請求項２】
前記第２の面に、前記反射面で反射された前記青色波長帯の光を拡散させる拡散面が形成されていることを特徴とする請求項１に記載の光源装置。
【請求項３】
前記第３の面に、前記緑色波長帯の光を反射させる反射面が形成されていることを特徴とする請求項１又は２に記載の光源装置。
【請求項４】
前記青色光源から出射された青色波長帯の光が前記第１のセグメントに入射するように前記ホイールを回転させる第１の動作と、前記青色光源から出射された青色波長帯の光が前記第２のセグメントに入射するように前記ホイールを回転させる第２の動作と、を時分割で実行する投影処理部をさらに具備することを特徴とする請求項１乃至３の何れか１項に記載の光源装置。
【請求項５】
赤色波長帯の光を出射する赤色光源を備え、
前記光学系は、前記第１のセグメントから出射された青色波長帯の光と、前記第２のセグメントから出射された緑色波長帯の光と、前記赤色波長帯の光との各々を同一光路上に導くことを特徴とする請求項１乃至４の何れか１項に記載の光源装置。
【請求項６】
光源装置と、表示素子と、前記光源装置からの光を前記表示素子に導く光源側光学系と、前記表示素子から射出された画像を投影する投影光学系と、前記光源装置及び表示素子を制御する制御手段と、を備え、
前記光源装置が、請求項１乃至５の何れか１項に記載の光源装置であることを特徴とするプロジェクタ装置。
【発明の詳細な説明】
【技術分野】
【０００１】
本発明は、半導体発光素子を用いた光源装置及びそれを備えたプロジェクタ装置に関する。
【背景技術】
【０００２】
従来、光源に半導体発光素子を使用して画像の投影を行うプロジェクタ装置に関する各種の提案がなされている。このようなプロジェクタ装置の一つとして、半導体発光素子として可視光を照射するものを用いて画像の投影を行うプロジェクタ装置も提案されている。例えば、青色光を受けて緑色光を出射する蛍光体を設け、この蛍光体に青色光を照射するようにしたプロジェクタ装置が提案されている。また、回転自在に構成されたホイールに蛍光体を形成し、ホイールを回転させつつ、蛍光体への光照射を行うことによって、蛍光体の同一部分への連続した光の入射を防止するようにしたプロジェクタ装置が例えば特許文献１において提案されている。
【０００３】
また、特許文献１のプロジェクタ装置は、ホイールに青色光を透過・拡散させる面が形成されている。この透過拡散面に青色光を入射させるようにホイールを回転させることで、蛍光体の励起用の青色光源を、青色画像投影用の光源としても用いることができる。
【先行技術文献】
【特許文献】
【０００４】
【特許文献１】特開２０１１−０１３３２０号公報
【発明の概要】
【発明が解決しようとする課題】
【０００５】
ここで、特許文献１においては、励起用の青色光源を青色の画像投影用の光源として用いるために、ホイールで透過・拡散された青色光をライトトンネルに導くための導光光学系が必要である。プロジェクタ装置の小型化や部品点数の削減のためには、この導光光学系をなるべく小規模とすることが望ましい。
【０００６】
本発明は、前記の事情に鑑みてなされたもので、特に、青色画像投影用の青色光の導光光学系を小規模にすることが可能な光源装置及びそれを備えたプロジェクタ装置を提供することを目的とする。
【課題を解決するための手段】
【０００７】
前記の目的を達成するために、本発明の第１の態様の光源装置は、青色波長帯の光を出射する青色光源と、周縁部の少なくとも一部に反射面が形成された回転自在な本体と、直角二等辺三角形状の断面を持つように前記本体の周縁部に形成され、前記本体に接触するように形成された斜面と前記青色波長帯の光を前記反射面に透過させる第１の面と前記反射面で反射された前記青色波長帯の光を透過させて出射する第２の面とが形成された第１のセグメント及び前記青色波長帯の光を受けて緑色波長帯の光を出射する蛍光体が塗布された第３の面が形成された第２のセグメントを備えた円環状のプリズムと、を有するホイールと、前記第１のセグメントから出射された青色波長帯の光と前記第２のセグメントから出射された緑色波長帯の光との各々を同一光路上に導く光学系と、を具備し、前記第１のセグメントは、回転によって前記第１のセグメントが前記青色光源の光軸上に位置したときに、前記第１の面としてのガラス面が前記青色光源の光軸と直交し、前記第２の面としての透過拡散面が前記本体に形成された反射面の反射光軸上に位置するように形成されており、前記第２のセグメントは、回転によって前記第２のセグメントが前記青色光源の光軸上に位置したときに、前記第３の面としての蛍光体面が前記青色光源の光軸と直交するように形成されていることを特徴とする。
【０００８】
また、前記の目的を達成するために、本発明の第２の態様のプロジェクタ装置は、光源装置と、表示素子と、前記光源装置からの光を前記表示素子に導く光源側光学系と、前記表示素子から射出された画像を投影する投影光学系と、前記光源装置及び表示素子を制御する制御手段と、を備え、前記光源装置が、第１の態様に記載の光源装置であることを特徴とする。
【発明の効果】
【０００９】
本発明によれば、特に、青色画像投影用の青色光の導光光学系を小規模にすることが可能な光源装置及びそれを備えたプロジェクタ装置を提供することができる。
【図面の簡単な説明】
【００１０】
【図１】本発明の一実施形態に係るデータプロジェクタ装置の概略機能構成を示す図である。
【図２】本発明の一実施形態に係る光源部の構成の一例を示す図である。
【図３】ホイールの構成を示す図である。
【図４】Ｂフィールドにおけるホイールの動作について示す図である。
【図５】Ｇフィールドにおけるホイールの動作について示す図である。
【発明を実施するための形態】
【００１１】
以下、図面を参照して本発明の実施形態を説明する。以下の説明においては、本実施形態に係る光源装置を、ＤＬＰ（登録商標）方式のデータプロジェクタ装置に適用した例について説明する。
【００１２】
図１は、本発明の一実施形態に係るデータプロジェクタ装置１０の概略機能構成を示す図である。以下の説明で「ミラー」により光を「反射」する、として説明した場合、原則的に当該ミラーは入射された光を全反射するものとする。
【００１３】
入力部１１は、例えばピンジャック（ＲＣＡ）タイプのビデオ入力端子や音声入力端子、ＨＤＭＩ(High Definition Multimedia Interface)（登録商標）入力端子等により構成されており、データプロジェクタ装置１０の外部の信号供給源からＮＴＳＣ方式等の各種規格の画像データや音声データが入力され、システムバスＳＢを介して、画像データを画像変換部１２に送るとともに音声データを音声処理部２２に送る。また、入力部１１は、入力された画像データや音声データがアナログ信号である場合には、画像データや音声データをデジタル化してから画像変換部１２に送る。
【００１４】
画像変換部１２は、スケーラとも称されるものである。この画像変換部１２は、入力部１１から入力された画像データを、投影に適した所定のフォーマットの画像データに変換して投影処理部１３へ送る。この際、画像変換部１２は、必要に応じて、ＯＳＤ（On Screen Display）用の各種動作状態を示すシンボル等のデータを画像データに重畳する。
【００１５】
投影処理部１３は、画像変換部１２から送られてきた画像データに応じて、空間的光変調素子であるマイクロミラー素子１４を駆動する。マイクロミラー素子１４の駆動周期は、画像データのフレームレートと、色成分の分割数と、画像データの表示階調数とを乗算した値に応じて設定される。例えば、フレームレートを６０ｆｐｓ、色成分の分割数を３（ＲＧＢの３色）、画像データの表示階調数を２５６とした場合、マイクロミラー素子１４の駆動周期は、１/（６０×３×２５６）＝１/４６０８０秒となる。また、投影処理部１３は、画像変換部１２から送られてきた画像データに応じて、光源部１５を駆動する。
【００１６】
マイクロミラー素子１４は、アレイ状に配列された複数の可動な微小ミラーによって構成されている表示素子である。微小ミラーは、例えばＷＸＧＡ（Wide  eXtended  Graphic  Array）（横１２８０画素×縦８００画素）に対応して配列されている。各々の微小ミラーは、その傾斜角度を高速で変化させることが可能に構成されている。そして、各々の微小ミラーは、その傾斜角に応じて光源部１５から入射された光の出射光路を変化させる。即ち、各々の微小ミラーは、オン状態のときに、入射された光を投影レンズ部１７に向けて反射して光像を形成させ、オフ状態のときに、入射された光を投影レンズ部１７の外に向けて反射する。
【００１７】
本実施形態における光源装置としての光源部１５は、Ｒ、Ｇ、Ｂの原色光を含む複数色の光を、時分割でミラー１６に向けて出射する。光源部１５の詳細な構成については、後述する。ミラー１６は、光源部１５から入射された光を、マイクロミラー素子１４に向けて全反射させる。
【００１８】
投影レンズ部１７は、マイクロミラー素子１４からの反射光によって形成された光像を図示しない投影面上に投影するように構成された光学系をその内部に有している。
【００１９】
ＣＰＵ１８は、上述した各回路の動作を制御する。ＣＰＵ１８は、メインメモリ１９及びプログラムメモリ２０と接続されている。メインメモリ１９は、例えばＳＲＡＭで構成されており、ＣＰＵ１８による制御の際のワークメモリとして機能する。プログラムメモリ２０は、電気的に書換可能な不揮発性メモリで構成されており、ＣＰＵ１８が実行する動作プログラムや各種の定型データ等を記憶している。
【００２０】
また、ＣＰＵ１８は、操作部２１にも接続されている。操作部２１は、データプロジェクタ装置１０の本体に設けられたキー操作部と、データプロジェクタ装置１０の専用の図示しないリモートコントローラからの赤外光を受光する赤外線受光部とを含み、ユーザによってキー操作部又はリモートコントローラが操作された場合に、それらの操作に応じた操作信号をＣＰＵ１８へ出力する。ＣＰＵ１８は、この操作信号に応じてデータプロジェクタ装置１０の各種の動作を制御する。
【００２１】
さらに、ＣＰＵ１８は、システムバスＳＢを介して音声処理部２２にも接続されている。音声処理部２２は、ＰＣＭ音源等の音源回路を備えている。この音声処理部２２は、入力部１１を介して入力された音声データをアナログ化し、この音声データをスピーカ部２３に入力してスピーカ部２３を駆動することにより、スピーカ部２３から発音させる。また、音声処理部２２は、必要により、スピーカ部２３からビープ音等を発生させる。
【００２２】
図２は、本発明の第１の実施形態に係る光源部１５の構成の一例を示す図である。本実施形態における光源部１５は、２つの半導体発光素子を用いてＲＧＢの何れかの光を光出射部から出射するように構成されている。
【００２３】
青色光源３１は、青色波長帯の光Ｂを発する半導体発光素子であって、例えばレーザダイオードによって構成されている。ここで、図２では、青色光源３１を１つ図示しているが、青色光源３１を複数配置しても良い。
【００２４】
ダイクロイックミラー３２は、青色光源３１の光軸上に配置され、緑色波長帯の光を反射させ、それ以外の波長帯の光を透過させるように構成されたミラーである。このダイクロイックミラー３２は、レンズ３３の光軸に対して４５°の角度をなすように配置されている。
【００２５】
レンズ３３は、ダイクロイックミラー３２を透過した青色光Ｂ及びホイール３４から出射された緑色光Ｇを集光する。ここで、図２では、レンズ３３を１枚のみ図示している。しかしながら、レンズ３３と同様の機能を、複数枚のレンズによって実現するようにしても良い。
【００２６】
ホイール３４は、レンズ３３の光軸に対して４５°の角度をなすように配置されている。このホイール３４は、緑色波長帯の光Ｇを出射するための緑（Ｇ）セグメントと、青色波長帯の光Ｂを出射するための青（Ｂ）セグメントと、を有しており、モータによって回転自在に構成されている。
【００２７】
レンズ３５は、レンズ３３の光軸に対して９０°の角度をなすように、ホイール３４の反射光軸上に配置され、ホイール３４から出射された青色光Ｂを集光する。レンズ３３と同様、レンズ３５を複数枚のレンズによって構成しても良い。
【００２８】
反射ミラー３６は、青色光を反射させるミラーである。この反射ミラー３６は、レンズ３５の光軸に対して４５°の角度をなすように配置されている。
【００２９】
レンズ３７は、反射ミラー３６の反射光軸上に配置され、入射光を集光する。レンズ３３、３５と同様、レンズ３７を複数枚のレンズによって構成しても良い。
【００３０】
赤色光源３８は、赤色波長帯の光Ｒを発する半導体発光素子であって、例えば発光ダイオード又はレーザダイオードによって構成されている。図２では、赤色光源３８を１つのみ図示しているが、複数配置しても良い。
【００３１】
レンズ３９は、ダイクロイックミラー３２の反射光軸上に配置され、入射光を集光する。レンズ３３、３５と同様、レンズ３９を複数枚のレンズによって構成しても良い。
【００３２】
ダイクロイックミラー４０は、レンズ３５及びレンズ３９の光軸上に配置され、青色波長帯の光を透過させ、それ以外の波長帯の光を反射させるように構成されたミラーである。このダイクロイックミラー４０は、レンズ３３及びレンズ３９の光軸に対して４５°の角度をなすように配置されている。
【００３３】
ライトトンネル４１は、ダイクロイックミラー４０からの入射光を、内部で全反射させながら進行させて面均一光として出射する。このライトトンネル４１が、光源部１５の光出射部として機能する。
【００３４】
図３は、ホイール３４の構成を示す図である。図３の左側がホイール３４の正面図であり、図３の右側が側面図である。  
図３に示すように、ホイール３４は、円板状のホイール本体３４１を有している。このホイール本体３４１は、表面に例えばアルミナ等の反射面が構成されている。また、ホイール本体３４１は、モータ３４３に取り付けられており、このモータ３４３の回転によって、回転軸Ｏを中心に回転自在に構成されている。
【００３５】
ホイール本体３４１の周縁部には、側面図に示すような直角二等辺三角形状の断面を有する円環状のプリズム３４２が形成されている。このプリズム３４２は、斜面がホイール本体３４１に接触するように形成されている。また、プリズム３４２は、残りの二面で、緑（Ｇ）セグメント及び青（Ｂ）セグメントを形成している。
【００３６】
Ｇセグメントは、モータ３４３の回転によってＧセグメントが青色光源３１の光軸上に位置したときに、第３の面としての蛍光体面３４２ｂが青色光源３１の光軸と直交するように形成されている。残りの一面は例えばガラス面３４２ａである。即ち、ガラス面３４２ａは、モータ３４３の回転によってＧセグメントが青色光源３１の光軸上に位置したときに、青色光源３１の光軸に対して平行な方向に配置される。蛍光体面３４２ｂは、青色波長帯の光Ｂを受けて緑色波長帯の光を出射する蛍光体が塗布された面である。また、蛍光体面３４２ｂは、その裏面にアルミナ等の反射面が形成されている。
【００３７】
Ｂセグメントは、モータ３４３の回転によってＢセグメントが青色光源３１の光軸上に位置したときに、第１の面としてのガラス面３４２ａが青色光源３１の光軸と直交し、第２の面としての透過拡散面３４２ｃがホイール本体３４１に形成された反射面の反射光軸上に位置するように形成されている。即ち、透過拡散面３４２ｃは、モータ３４３の回転によってＢセグメントが青色光源３１の光軸上に位置したときに、青色光源３１の光軸に対して平行な方向に配置される。透過拡散面３４２ｃは、例えばガラス面をサンドブラストやエッチングによって荒らすことによって形成され、ガラス面３４２ａを透過し、ホイール本体３４１に形成された反射面で反射された光を透過及び拡散させる。
【００３８】
図２及び図３で示した光源部１５の動作について説明する。光源部１５の動作は、ＣＰＵ１８の制御の下に投影処理部１３が実行するものである。投影処理部１３は、画像データによって表される画像が投影面に投影されるよう、光源部１５における青色光源３１、赤色光源３８の発光タイミングとホイール３４の回転タイミングとを時分割制御する。
【００３９】
１フレーム（１画面）分の投影画像は、複数のフィールドの投影画像によって構成されている。各フィールドでは、異なる色の投影画像を投影面に投影する。１フレームは、少なくともＲフィールド、Ｂフィールド、Ｇフィールドの３フィールドを有している。Ｒフィールドは、赤色の投影画像を投影面に投影するフィールドである。Ｂフィールドは、青色の投影画像を投影面に投影するフィールドである。Ｇフィールドは、緑色の投影画像を投影面に投影するフィールドである。
【００４０】
Ｒフィールドにおいて、投影処理部１３は、赤色光源３８を発光させる。赤色光源３８から出射された赤色光Ｒは、ダイクロイックミラー３２に至る。前述したように、ダイクロイックミラー３２は、緑色波長帯の光以外の光を透過させるように構成されているので、赤色光Ｒは、ダイクロイックミラー３２を透過し、レンズ３９で集光され、ダイクロイックミラー４０に至る。前述したように、ダイクロイックミラー４０は、青色波長帯の光を透過させ、それ以外の波長帯の光を反射させるように構成されているので、赤色光Ｒは、ダイクロイックミラー４０で反射されてライトトンネル４１に入射する。そして、この赤色光Ｒは、ライトトンネル４１の内面で反射され、面均一光としてライトトンネル４１から出射され、マイクロミラー素子１４に至る。
【００４１】
また、投影処理部１３は、入力された画像データの赤色成分の階調に応じて、マイクロミラー素子１４を構成する各微小ミラーのオンオフを制御する。上述したように、マイクロミラー素子１４を構成する各々の微小ミラーは、オン状態のときに、入射された光を投影レンズ部１７に向けて反射し、オフ状態のときに、入射された光を投影レンズ部１７の外に向けて反射する。このような構成により、Ｒフィールド中に微小ミラーをオン状態とした回数だけ、その微小ミラーに対応した投影面上の画素位置に赤色光Ｒが投影される。これは、時間平均で見ると、画像データに応じた階調の赤色の投影画像が投影されたことと等価である。
【００４２】
Ｂフィールドにおいて、投影処理部１３は、青色光源３１を発光させるとともに青色光源３１の光軸上にＢセグメントが位置するようにモータ３４３を回転させる。青色光源３１から出射された青色光Ｂは、ダイクロイックミラー３２に至る。
【００４３】
前述したように、ダイクロイックミラー３２は、緑色波長帯の光以外の光を透過させるように構成されているので、青色光Ｂは、ダイクロイックミラー３２を透過し、レンズ３３で集光されてホイール３４のＢセグメントに入射する。ここで、Ｂセグメントは、図４に示すように、青色光源３１の光軸上にガラス面３４２ａが位置するように形成されている。したがって、青色光Ｂは、ガラス面３４２ａを透過し、ホイール本体３４１に形成された反射面で９０°方向に反射される。９０°方向には透過拡散面３４２ｃが位置しているので、この透過拡散面３４２ｃを通過した青色光Ｂはレンズ３５の方向に拡散される。ここで、青色光Ｂを拡散させているのは、青色光源３１にレーザダイオードを用いているためである。
【００４４】
ホイール３４から出射された青色光Ｂは、レンズ３５で集光され、反射ミラー３６で反射されてダイクロイックミラー４０に至る。前述したように、ダイクロイックミラー４０は、青色波長帯の光を透過させ、それ以外の波長帯の光を反射させるように構成されているので、青色光Ｂは、ダイクロイックミラー４０を透過してライトトンネル４１に入射する。そして、この青色光Ｂは、ライトトンネル４１の内面で反射され、面均一光としてライトトンネル４１から出射され、マイクロミラー素子１４に至る。
【００４５】
また、投影処理部１３は、入力された画像データの青色成分の階調に応じて、マイクロミラー素子１４の各微小ミラーのオンオフを制御する。これにより、時間平均としては、所定の階調の青色の画像が投影される。
【００４６】
Ｇフィールドにおいて、投影処理部１３は、青色光源３１を発光させるとともに青色光源３１の光軸上にＧセグメントが位置するようにモータ３４３を回転させる。青色光源３１から出射された青色光Ｂは、ダイクロイックミラー３２に至る。
【００４７】
前述したように、ダイクロイックミラー３２は、緑色波長帯の光以外の光を透過させるように構成されているので、青色光Ｂは、ダイクロイックミラー３２を透過し、レンズ３３で集光されてホイール３４のＧセグメントに入射する。
【００４８】
ここで、Ｇセグメントは、図５に示すように、青色光源３１の光軸上に蛍光体面３４２ｂが位置するように形成されている。したがって、青色光Ｂは、蛍光体面３４２ｂに入射する。蛍光体面３４２ｂからは、緑色光Ｇがレンズ３３に向けて出射される。ここで、蛍光体面３４２ｂからの緑色光Ｇは、レンズ３３に向かう方向だけでなく、ホイール３４の方向にも出射される。したがって、ホイール本体３４１に反射面を形成し、また、蛍光体面３４２ｂにも反射面３４２１ｂを形成しておくことにより、蛍光体面３４２ｂからホイール３４の方向に向かう光もレンズ３３の方向に反射させて緑色光Ｇの利用効率を向上させることが可能である。
【００４９】
ホイール３４から出射された緑色光Ｇは、レンズ３３で集光されてダイクロイックミラー３２に至る。前述したように、ダイクロイックミラー３２は、緑色波長帯の光を反射させるように構成されているので、緑色光Ｇは、ダイクロイックミラー３２で反射され、レンズ３９で集光され、ダイクロイックミラー４０に至る。前述したように、ダイクロイックミラー４０は、青色波長帯の光を透過させ、それ以外の波長帯の光を反射させるように構成されているので、緑色光Ｇは、ダイクロイックミラー４０で反射されてライトトンネル４１に入射する。そして、この緑色光Ｇは、ライトトンネル４１の内面で反射され、面均一光としてライトトンネル４１から出射され、マイクロミラー素子１４に至る。
【００５０】
また、投影処理部１３は、入力された画像データの緑色成分の階調に応じて、マイクロミラー素子１４の各微小ミラーのオンオフを制御する。これにより、時間平均としては、所定の階調の緑色の画像が投影される。
【００５１】
以上で示した１フレームの動作によって、時間平均としては、投影面上の任意の画素位置に任意の色の投影画像を表示することが可能である。なお、１つのフィールド内で複数の光源を同時に発光させるようなフィールドを追加しても良い。
【００５２】
以上説明したように、本実施形態によれば、ホイール３４に、直角二等辺三角形状の断面を有するプリズムを形成することによって、緑色光の生成と、青色光の光路変更と、青色光の透過拡散を１つのホイールにおいて行うことが可能である。これにより、青色光の導光光学系を削減して光源装置全体としての部品点数の削減を図ることが可能である。
【００５３】
ここで、本実施形態では、Ｂセグメントに透過拡散面３４２ｃを形成しているが、これは、緑色光の励起のために、青色光源３１としてレーザダイオードを用いているためである。光源によってはＢセグメントに必ずしも透過拡散面３４２ｃを形成する必要はなく、単なる透過面（ガラス面３４２ａ）としても良い。
【００５４】
また、本実施形態では、ホイール本体３４１の全面に反射面を形成する例を示しているが、この反射面は、Ｇセグメントにおける緑色光の反射とＢセグメントにおける青色光の光路変更とに用いられる。緑色光の利用効率は多少低下するものの、ホイール本体３４１のＢセグメントに対応する部分にのみ反射面を形成するようにしても良い。
【００５５】
以上実施形態に基づいて本発明を説明したが、本発明は上述した実施形態に限定されるものではなく、本発明の要旨の範囲内で種々の変形や応用が可能なことは勿論である。  
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【００５６】
以下に、本願出願の当初の特許請求の範囲に記載された発明を付記する。  
［１］  青色波長帯の光を出射する青色光源と、
周縁部の少なくとも一部に反射面が形成された回転自在な本体と、直角二等辺三角形状の断面を持つように前記本体の周縁部に形成され、前記青色波長帯の光を受けて緑色波長帯の光を出射する第１の面が形成された第１のセグメント及び前記青色波長帯の光を前記反射面に透過させる第２の面と前記反射面で反射された前記青色波長帯の光を出射する第３の面とが形成された第２のセグメントを備えたプリズムと、を有するホイールと、
前記第１のセグメントから出射された緑色波長帯の光と前記第２のセグメントから出射された青色波長帯の光との各々を同一光路上に導く光学系と、
を具備することを特徴とする光源装置。  
［２］  前記第３の面に前記反射面で反射された前記青色波長帯の光を拡散させる拡散面が形成されていることを特徴とする［１］に記載の光源装置。  
［３］  前記第２の面に前記緑色波長帯の光を反射させる反射面が形成されていることを特徴とする［１］又は［２］に記載の光源装置。  
［４］  前記青色光源から出射された青色波長帯の光が前記第１のセグメントに入射するように前記ホイールを回転させる第１の動作と、前記青色光源から出射された青色波長帯の光が前記第２のセグメントに入射するように前記ホイールを回転させる第２の動作と、を時分割で実行する投影処理部をさらに具備することを特徴とする［１］乃至［３］の何れか１項に記載の光源装置。  
［５］  赤色波長帯の光を出射する赤色光源を備え、
前記光学系は、前記第１のセグメントから出射された青色波長帯の光と、前記第２のセグメントから出射された緑色波長帯の光と、前記赤色波長帯の光との各々を同一光路上に導くことを特徴とする［１］乃至［４］の何れか１項に記載の光源装置。  
［６］  光源装置と、表示素子と、前記光源装置からの光を前記表示素子に導く光源側光学系と、前記表示素子から射出された画像を投影する投影光学系と、前記光源装置及び表示素子を制御する制御手段と、を備え、
前記光源装置が、［１］乃至［５］の何れか１項に記載の光源装置であることを特徴とするプロジェクタ装置。
【符号の説明】
【００５７】
１０…データプロジェクタ装置、１１…入力部、１２…画像変換部、１３…投影処理部、１４…マイクロミラー素子、１５…光源部、１６…ミラー、１７…投影レンズ部、１８…ＣＰＵ、１９…メインメモリ、２０…プログラムメモリ、２１…操作部、２２…音声処理部、２３…スピーカ部、３１…青色光源、３２…ダイクロイックミラー、３３…レンズ、３４…ホイール、３５…レンズ、３６…反射ミラー、３７…レンズ、３８…赤色光源、３９…レンズ、４０…ダイクロイックミラー、４１…ライトトンネル、３４１…ホイール本体、３４２…プリズム、３４２ａ…ガラス面、３４２ｂ…蛍光体面、３４２ｃ…透過拡散面、３４３…モータ
【図１】
0006007533.tif 000002
【図２】
0006007533.tif 000003
【図３】
0006007533.tif 000004
【図４】
0006007533.tif 000005
【図５】
0006007533.tif 000006